(57)【要約】【課題】  建築用型枠において、内、外の型枠パネルを連結する緊結部材が、コンクリートの打設圧力で浮き上がって抜け出さないようにして、成形されるコンクリート躯体の品質を高める。【解決手段】  内、外の型枠パネル１を一体に緊結する、建築用型枠の緊結部材２０であり、かすがい状に形成されて、中間部分２０ｎと、その両端から略直角に折り曲げられる、折曲端部２０ｅとを有し、折曲端部２０ｅの基部の外周面に、外方に隆起する隆起部３０が一体に加工され、折曲端部２０ｅを、内、外の型枠パネル１の緊結穴１４に隆起部３０を超えて差し込み連結する。【選択図】    図４
2006274731.tif 000002
【特許請求の範囲】
【請求項１】
コンクリートの打設空間（Ｓ）を存して互いに平行に立て込まれる内、外の型枠パネル（１）を一体に緊結する、建築用型枠の緊結部材であって、
鉄線などの金属線材により、かすがい状に形成されて、中間部分（２０ｎ）と、その中間部分（２０ｎ）の両端から略直角に折り曲げられる両折曲端部（２０ｅ）とを有し、前記両折曲端部（２０ｅ）の基部の外周面に、外方に隆起する隆起部（３０）がそれぞれ一体に設けられており、前記両折曲端部（２０ｅ）を、前記内、外の型枠パネル（１）にそれぞれ設けた緊結穴（１４）に前記隆起部（３０）を超えて差し込み連結することにより、前記隆起部（３０）を緊結穴（１４）に係合させ、両折曲端部（２０ｅ）が緊結穴（１４）から浮き上がるのを防止するようにしたことを特徴とする、建築用型枠の緊結部材。
【請求項２】
前記両折曲端部（２０ｅ）の隆起部（３０）は、それらの基部にポンチ（Ｐ）を打込むことにより形成されることを特徴とする、前記請求項１記載の建築用型枠の緊結部材。
【請求項３】
前記両折曲端部（２０ｅ）の隆起部（３０）は、前記両折曲端部（２０ｅ）の基部外周面の内側に形成されることを特徴とする、前記請求項１または２記載の建築用型枠の緊結部材。
【発明の詳細な説明】
【技術分野】
【０００１】
本発明は、コンクリート躯体を形成すべく、コンクリートの打設空間を存して立て込まれる内、外型枠を、一体に緊結するための、建築用型枠の緊結部材に関する。
【背景技術】
【０００２】
従来、コンクリート躯体を有する建築物において、そのコンクリート躯体を成形するために、コンクリート打設空間を存して互いに平行に立て込まれる、内、外のコンクリート型枠の型枠パネルを複数のかすがい状のアッセンブリタイ（緊結部材）により一体に結合したものは公知である（特許文献１参照）。
【特許文献１】特開２００４−７６３９６号公報
【発明の開示】
【発明が解決しようとする課題】
【０００３】
ところで、前記特許文献１に開示されるものでは、かすがい状のアッセンブリタイ（緊結部材）の折曲端部を、型枠の取付孔に、その上方から差し込むようにしているので、コンクリート躯体を成形すべく、型枠間のコンクリート打設空間に、生コンクリートを打設したとき、緊結部材が生コンクリートの打設圧力によって、浮き上がり、場合によっては、アッセンブリタイが取付孔から抜け出ることがあり、内、外の型枠パネルは所期の平行位置が保てなくなって、コンクリート躯体の品質保持ができなくなるという問題がある。
【０００４】
本発明は、かかる実情に鑑みてなされたものであり、緊結部材を型枠の緊結穴に確実に差し込み連結できるようにして、前記問題を解決できるようにした、新規な建築用型枠の緊結部材を提供することを目的とする。
【課題を解決するための手段】
【０００５】
上記目的を達成するために、請求項１記載の発明は、コンクリートの打設空間を存して互いに平行に立て込まれる内、外の型枠パネルを一体に緊結する、建築用型枠の緊結部材であって、
鉄線などの金属線材により、かすがい状に形成されて、中間部分と、その中間部分の両端から略直角に折り曲げられる、両折曲端部とを有し、前記両折曲端部の基部の外周面に、外方に隆起する隆起部がそれぞれ一体に設けられており、前記両折曲端部を、前記内、外の型枠パネルにそれぞれ設けた緊結穴に前記隆起部を超えて差し込み連結することにより、前記隆起部を緊結穴に係合させ、両折曲端部が緊結穴から浮き上がるのを防止するようにしたことを特徴としている。
【０００６】
また、上記他の目的を達成するために、請求項２記載の発明は、前記請求項１記載のものにおいて、前記両折曲端部の隆起部は、それらの基部にポンチを打込むことにより形成されることを特徴としている。
【０００７】
さらに、上記他の目的を達成するために、請求項３記載の発明は、前記請求項１または２記載のものにおいて、前記両折曲端部の隆起部は、前記両折曲端部の基部外周面の内側に形成されることを特徴としている。
【発明の効果】
【０００８】
本請求項各項記載の発明によれば、コンクリートの打設時に、コンクリート圧力によって緊結部材が、型枠パネルの緊結穴から浮き上がることが防止されて、型枠パネルは堅固に固定されて、型枠パネル間に高精度のコンクリート打設空間を確保することができ、その結果、高精度、高品質のコンクリート躯体を成形することができる。
【０００９】
また、本請求項２記載の発明によれば、緊結部材の両折曲端部に隆起部を簡単、容易に加工するすることができ、その加工コストの低減を図ることができる。
【００１０】
さらに、本請求項３記載の発明によれば、隆起部は、緊結部材の両折曲端部の基部外周面の内側に形成されるので、コンクリートの打設圧力により、隆起部を緊結穴に食い込ませることができ、緊結部材の緊結穴への連結を一層強固にすることができ、緊結部材のコンクリート打設圧力による浮き上がりを一層確実に防止することができる。
【発明を実施するための最良の形態】
【００１１】
以下、本発明の実施の形態を、添付図面に例示した本発明の実施例に基づいて以下に具体的に説明する。
【００１２】
図１は、断熱パネルおよび緊結部材の斜視図、図２は、図１の２矢視図、図３は、図２の３−３線に沿う断面図、図４は、図３の４矢視仮想線囲い部分の拡大図、図５は、図４の５−５線に沿う拡大断面図、図６は、組み立てられた建築用型枠の断面図である。
【００１３】
図１〜４において、型枠パネルとしての断熱パネル１は、硬質の断熱合成樹脂材により、全体が横長の長方形の板状に形成されており、その上端面１ｕには、連結バーＪが、該断熱パネルの全長にわたり固定される。
【００１４】
前記断熱パネル１は、高断熱性であり、しかも軽量であるポリスチレン、ポリウレタンなどの硬質の発泡合成樹脂材により構成されている。断熱パネル１の外面１ｏおよび内面１ｉは、いずれも平坦面に形成されている。また、断熱パネル１の上端面１ｕおよび下端面１ｄには、その全長にわたりその厚み方向の中間部にスリット２が形成される。
【００１５】
図１〜４において、前記連結バーＪは、金属板または硬質合成樹脂板により形成され、断熱パネル１の長手方向の長さと略同じ長さを有しており、平坦な板状に形成される水平部１０と、この水平部１０の一端（図３，４左端）より上下方向に略直角に対称的に起立形成される上、下差込部１１Ｕ，１１Ｄと、前記水平部１０の他端（図３，４右端）より上下方向に略直角に対称的に起立形成される上、下弾発係合部１２Ｕ，１２Ｄとを備えて横断面Ｈ状に形成され、さらに、上，下弾発係合部１２Ｕ，１２Ｄの境界部の外面から外側に、その長手方向の間隔をあけて複数の連結片１３…が略水平に突設される。これらの連結片１３…は、前記水平部１０の延長上にあって平面視梯形状に形成され、それの中央部に、本発明にかかる緊結部材２０の差し込み連結される緊結穴１４…がそれぞれ穿設されている。
【００１６】
図３，４に明瞭に示すように、前記水平部１０は、断熱パネル１の厚み幅よりも幅狭に形成されて、断熱パネル１が立て込まれるとき、それらの上端面１ｕと下端面１ｄとの間に挟持される。また、前記上、下差込部１１Ｕ，１１Ｄは、それらの先端に鋸歯状の抜止め歯１１ｔが一体に形成され、断熱パネル１のスリット２に差し込み結合される際に、抜止め歯１１ｔはスリット２に食い込んでその抜け出しが防止される。さらに、前記上、下弾発係合部１２Ｕ，１２Ｄは、板状に形成されており、その自由状態では、断熱パネルの外面に弾発係合すべく、内方に向けて若干傾斜しており、それの自由端には、外側に向けて若干拡開される案内部１２ｇが形成されている。
【００１７】
前記連結バーＪは、予め工場などで断熱パネル１の一端面に固定しておく。この固定状態では、図４に示すように、連結バーＪの一方の下差込部１１Ｄは、断熱パネル１のスリット２内に差し込み固定される共にその一方の下弾発係合部１２Ｄが断熱パネル１の外面に弾発係合され、さらに、その水平部１０は、断熱パネル１の上端面１ｕに当接される。この場合、断熱パネル１と連結バーＪ間には、接着剤１６が介在されて、両者を接着する。
【００１８】
以上のように、一端面（上端面）に連結バーＪを固定した断熱パネル１は、建築現場などに搬送されて、建築用型枠Ｍの組み付けに供される。
【００１９】
図６に示すように、コンクリートの打設空間Ｓを存して互いに平行に立て込まれる断熱パネル１，１は、複数の、本発明にかかる緊結部材２０によりを一体に連結される。
【００２０】
図１，６に示すように、緊結部材２０は、鉄線などの断面円形の金属線材により、全体が「かすがい」状に形成されており、直状の中間部分２０ｎと、その中間部分２０ｎの両端から略直角に折曲される、両折曲端部２０ｅ，２０ｅとを有しており、それらの折曲端部２０ｅ，２０ｅの先端は、斜め４５°にカットされて先鋭に形成されていて、緊結穴１４に差し込み易くしてある。
【００２１】
また、図４，５に最も明瞭に示すように、両折曲端部２０ｅ，２０ｅの基部の外周面の内側（中間部側）には、その外周面より外方に隆起する隆起部３０が一体に突出加工されている。この隆起部５０は、この実施例では、ポンチＰの打込みにより形成される円錐状の凹部３１の外周部分に突出加工される。そして、図５に示すように、この隆起部３０を有する折曲端部２０ｅの断面部分の幅Ｄは、緊結穴１４の直径ｄよりも大きい。また、この隆起部３０の縁と、中間部２０ｎの内側外面間との間隔ｓは、連結バーＪの連結片１３の厚みよりも若干広い。
【００２２】
なお、前記隆起部３０の加工は、他の加工手段により行ってもよい。
【００２３】
断熱パネル１に緊結部材２０を連結するには、図４に示すように、断熱パネル１の上面に予め固定されている連結バーＪの連結片１３の緊結穴１４に、その上方から緊結部材２０の一方の折曲端部２０ｅを差し込み連結する。このとき、折曲端部２０ｅの隆起部３０は緊結穴１４の縁に引っ掛かるので、緊結部材２０を図４矢印ａに示すように、その上方から押し込むか、叩くようにする。これにより、隆起部３０は緊結穴１４を貫通して、該緊結穴１４の縁に係合されて、緊結部材２０を緊結穴１４に確りと差し込み連結することでき、後に述べるように、打設生コンクリートの圧力で、緊結部材２０が緊結穴１４から浮き上がって、抜け出ることが防止される。
【００２４】
つぎに、図６を参照して、断熱パネル１および緊結部材２０を用いて、建築用型枠（コンクリート型枠）Ｍを組み付ける場合について説明する。
【００２５】
建築用型枠Ｍは、基礎Ｂ上に、コンクリート打設空間Ｓを存して互いに平行に立て込まれる内、外の断熱パネル１…により構成される。
【００２６】
下段の断熱パネル１（Ｄ）に、上段の断熱パネル１（Ｕ）を建て込み連結するに際し、予め連結バーＪを固定した、内、外の下段の断熱パネル１（Ｄ），１（Ｄ）を、鉛直状態に保持し、それら両断熱パネル１（Ｄ），１（Ｄ）の連結バーＪ，Ｊの複数の緊結穴１４，１４に、前述のように緊結部材２０を差し込み連結する。これにより、内、外の断熱パネル１（Ｄ），１（Ｄ）は鉛直状態に堅固に保持される。、
つぎに、下段の断熱パネル１（Ｄ）上に上段の断熱パネル１（Ｕ）を立て込む。このとき、図４に示すように、上段の断熱パネル１（Ｕ）のスリット２は、連結バーＪの上差込部１１Ｕに差込み固定されると同時に該断熱パネル１（Ｕ）の下部外面には、連結バーＪの上弾発係合部１２Ｕが弾発係合され、上段の断熱パネル１（Ｕ）は、上差込部１１Ｕと上弾発係合部１２Ｕとで挟み込まれようにして保持される。
【００２７】
建て込まれた、内、外の上段の断熱パネル１（Ｕ），１（Ｕ）の連結バーＪ同士は、前述のように、複数の緊結部材２０により一体に連結される。
【００２８】
そして、内、外側の断熱パネル１…間のコンクリート打設空間Ｓに、図６に示すように、生コンクリートを打設することにより、建築物のコンクリート躯体が成形される。
【００２９】
このとき、内、外断熱パネル１，１を連結している緊結部材２０には、生コンクリートの打設圧力によって、浮き上がり方向、すなわち抜き方向の力が作用するが、緊結部材２０の両折曲端部２０ｅ，２０ｅに加工した隆起部３０，３０は、連結片１３，１３の緊結穴１４，１４に係合しているので、緊結部材２０が、生コンクリートの打設圧力により浮き上がることがない。特に、前記隆起部３０，３０は、両折曲端部２０ｅ，２０ｅの外周面の内側（コンクリート打設空間Ｓの中央側）に加工してあるので、断熱パネル１，１にかかる生コンクリートの打設圧力（図６、矢印ｂ）により、緊結穴１４，１４と隆起部３０，３０とは相互にますます食い込む方向の力を受けることになり、その結果、内、外の断熱パネル１，１を緊結部材２０により一層堅固に連結することができる。
【００３０】
また、複数の連結片１３…は、断熱パネル１よりも外側（打設空間Ｓ内）に突出しており、そこに緊結部材２０が連結されるので、この緊結部材２０の連結によって断熱パネル１が欠損することがなく、断熱パネル１の強度を高めることができ、しかも緊結部材の２０の組付性がよい。
【００３１】
コンクリート躯体の成形完了後は、内、外側の断熱パネル１…は、そのまま断熱建材として使用することができ、その際に、それらの平坦な外面１ｏには、モルタルなどの湿式外装材、あるいはタイルなどの乾式外装材を積層するのが容易である。また、内、外側の断熱パネル１…は、コンクリート躯体から解体して通常の型枠パネルとして再利用することもできる。
【００３２】
以上、本発明の実施例について説明したが、本発明はその実施例に限定されることなく、本発明の範囲内で種々の実施例が可能である。
【００３３】
たとえば、前記実施例では、型枠パネルとして断熱パネルを用いた場合を説明したが、この断熱パネルに代えて従来の合板パネル、金属パネルなどの他の型枠パネルを用いてもよく、その場合に、その型枠パネルには、緊結部材を連結する緊結穴が設けられる。
【図面の簡単な説明】
【００３４】
【図１】断熱パネルおよび緊結部材の斜視図
【図２】図１の２矢視図
【図３】図２の３−３線に沿う断面図
【図４】図３の４矢視仮想線囲い部分の拡大図
【図５】図４の５−５線に沿う拡大断面図
【図６】組み立てられた建築用型枠の断面図
【符号の説明】
【００３５】
１・・・・・・・・・・・型枠パネル（断熱パネル）
１４・・・・・・・・・・緊結穴
２０ｎ・・・・・・・・・中間部分
２０ｅ・・・・・・・・・折曲端部
３０・・・・・・・・・・隆起部
Ｐ・・・・・・・・・・・ポンチ
Ｓ・・・・・・・・・・・コンクリート打設空間
【図１】
2006274731.tif 000003
【図２】
2006274731.tif 000004
【図３】
2006274731.tif 000005
【図４】
2006274731.tif 000006
【図５】
2006274731.tif 000007
【図６】
2006274731.tif 000008